(57)【要約】【課題】携帯の便宜性を向上した携帯端末機用タッチペンを提供する。【解決手段】中空略円筒状のペンボディと、前記ペンボディの尾端に一端が結合されるコネクターキャップと、前記コネクターキャップの他端に結合するカバーキャップと、で構成されたボディー体を有する携帯端末機のタッチスクリーンのタッチ用のタッチペンを備え、前記コネクターキャップは、前記カバーキャップの側に突出固定される第１コネクターと、前記ペンボディの側にフレキシブルなケーブルにて延長連結される第２コネクターとを有し、前記第１コネクターと前記第２コネクターは、前記コネクターキャップの内部を経由して結線されることにより変換用のジェンダーユニットを構成し、前記第１コネクターは、ＵＳＢ（Universal Serial Bus）コネクターであり、前記第２コネクターは、前記携帯端末機用のコネクターであり、前記ペンボディの内部に収納される。【選択図】図１
2014137777.tif 000002
【特許請求の範囲】
【請求項１】
中空略円筒状のペンボディと、前記ペンボディの尾端に一端が結合されるコネクターキャップと、前記コネクターキャップの他端に結合するカバーキャップと、で構成されたボディー体を有する携帯端末機のタッチスクリーンのタッチ用のタッチペンを備え、
前記コネクターキャップは、前記カバーキャップの側に突出固定される第１コネクターと、前記ペンボディの側にフレキシブルなケーブルにて延長連結される第２コネクターとを有し、
前記第１コネクターと前記第２コネクターは、前記コネクターキャップの内部を経由して結線されることにより変換用のジェンダーユニットを構成し、
前記第１コネクターは、ＵＳＢ（Universal Serial Bus）コネクターであり、
前記第２コネクターは、前記携帯端末機用のコネクターであり、前記ペンボディの内部に収納されることを特徴とする携帯端末機用タッチペン。
【請求項２】
ペンボディの先端に、前記携帯端末機のタッチスクリーンと接触して感応する感応タッチチップを有する、携帯端末機のタッチスクリーンタッチ用のタッチペンにおいて、
前記ペンボディは、幅に比べて相対的に長い長さを有し、
前記ペンボディは、その尾端に開閉形のカバーキャップを含んで構成され、その内部にジェンダーユニットを内蔵して収容するユニット収容空間を有し、
前記ジェンダーユニットの第１コネクターは、ＵＳＢ（Universal Serial Bus）コネクターであり、
前記ジェンダーユニットの第２コネクターは、前記携帯端末機用のコネクターであって、ケーブルにて前記第１コネクターと結線連結されることを特徴とする携帯端末機用タッチペン。
【請求項３】
前記第１コネクター、第２コネクター及び前記コネクターキャップの少なくとも１つには、ポータブルストレージデバイスとしてのメモリーカードのカードスロット及びその電気的な結線を更に有することを特徴とする請求項１又は請求項２に記載の携帯端末機用タッチペン。
【発明の詳細な説明】
【技術分野】
【０００１】
本発明は、ジェンダーユニットを有する携帯端末機用タッチペンに関する。詳しくは、例えば、スマートフォンなどの様々な携帯端末機のタッチスクリーンを作動させるためのスタイラスペン（Stylus Pen）としてのタッチペンに、携帯端末機と外部ケーブルあるいは外部器機との連結のために使われるジェンダーユニットを、有するようにして使用の便宜性を提供するようにした携帯端末機用タッチペンの提供に関するものである。
【背景技術】
【０００２】
一般的に、携帯端末機とは、携帯電話、ポータブルコンピューター、ＰＤＡ（Personal Data Assistance）、電子手帳、デジタルカメラ、ＭＰ３プレーヤー、ＰＭＰ（Portable Multimedia Player）等のポータブル子装置を指す。
【０００３】
このような携帯端末機の使用は、だんだん増加されて、現在は生活必需品になるほどに普遍化されており、近ごろはスマートフォンの急速な普及に伴い、その活用性を高めるために画面が大型化されてきている。
【０００４】
このような携帯端末機の中で一番普遍的に使われているスマートフォンに代表される携帯電話を見れば、携帯電話と外部との通信のためのインターフェースとして、携帯電話のメーカーと機種によって様々な内部回路を構成し、前記内部回路と外部インターフェースを連結するための複数個のコネクターを携帯電話ケースの一側面に形成し、前記コネクターに外部通信ケーブルや充電ケーブルなどを挿入して接続することにより外部とのインターフェイシングが可能である。
【０００５】
一般的に携帯端末機用ジェンダー（Gender）は、異なる機種の間の結合や個人用PCなどから充電を受けるために普遍化されたＵＳＢコネクターや、スマートフォンなどの端末機のピンコネクターをきちんと合うピンの構造を有するコネクターであって、充電器として活用したり、ＵＳＢに連結する連結媒介体の機能を有したりするものであり、主として携帯端末機の充電及びデータ送信に使われるアクセサリーをいう。
【０００６】
更に、最近では半導体の技術及び電子技術の進歩によって、タッチスクリーン方式が採択されたタッチパネルを有するスマートフォンの普及が拡大してあり、このようなタッチパネルは、操作者がタッチスクリーン（表示画面）の上部に設けられた透明な面を指またはタッチペン（Touch Pen）にタッチすることで携帯端末機のシステムを操作するようにした構成である。
【０００７】
このようなタッチパネルは、抵抗膜方式と、静電容量結合方式、赤外線方式、超音波方式などが活用されてあり、最近では、静電容量結合方式のタッチパネルが一番多く用いられている。このような静電容量結合方式のタッチパネルは、使用者（人）がタッチスクリーンをタッチしたときに静電容量を形成し、そのコンデンサーを通じて微弱電流を流してその変化量を検出することで、タッチ位置を算出して動作処理している。
【先行技術文献】
【特許文献】
【０００８】
【特許文献１】韓国特許登録第１０−０９６３８８６号公報
【特許文献２】韓国特許公開第１０−２０１２−０００２７８０号公報
【発明の概要】
【発明が解決しようとする課題】
【０００９】
従来技術では、携帯端末機の情報を外部器機に、あるいは、外部器機の情報を携帯端末機にインターフェイシングしようとする場合、または、携帯端末機を充電しようとする場合は、別途のデータケーブルまたは充電器を利用することになり、既存のデータケーブルや充電器を使おうとする場合は、変換用のジェンダー（ソケット・プラグ変換具）を利用し、携帯端末機のタッチスクリーンを通じて操作しようとする場合は、タッチペンを利用しなければならない。
【００１０】
このようにジェンダーとタッチペンは、携帯端末機を作動または操作するためには必須道具またはアクセサリーにもかかわらず、携帯と保管が不便であるため、多くの利用者たちがジェンダーとタッチペンを携帯せずに携帯端末機を携帯する場合が多い。
【００１１】
このような実情に応じて、外部で充電ができなくて携帯端末機が使用不可能になるのみならず、指で携帯端末機のタッチスクリーンを直接タッチするので、誤動作と誤入力を引き起こして使用が不便になるという問題点が発生する。
【００１２】
更に、変換用のジェンダーまたはタッチペンを携帯端末機と共に携帯しないので、紛失の危険性が高く、ジェンダーとタッチペンを別途の費用を支出して買い入れなければならない不便と共に経済的な費用負担が発生するなどの問題点があった。
【００１３】
本発明は、前記課題に鑑みて成されたものであり、携帯の便宜性を向上した携帯端末機用タッチペンを提供することを目的とする。
【課題を解決するための手段】
【００１４】
本発明の態様の１つは、中空略円筒状のペンボディと、前記ペンボディの尾端に一端が結合されるコネクターキャップと、前記コネクターキャップの他端に結合するカバーキャップと、で構成されたボディー体を有する携帯端末機のタッチスクリーンのタッチ用のタッチペンを備え、前記コネクターキャップは、前記カバーキャップの側に突出固定される第１コネクターと、前記ペンボディの側にフレキシブルなケーブルにて延長連結される第２コネクターとを有し、前記第１コネクターと前記第２コネクターは、前記コネクターキャップの内部を経由して結線されることにより変換用のジェンダーユニットを構成し、前記第１コネクターは、ＵＳＢ（Universal Serial Bus）コネクターであり、前記第２コネクターは、前記携帯端末機用のコネクターであり、前記ペンボディの内部に収納されることを特徴とする携帯端末機用タッチペンである。
【００１５】
本発明の他の態様は、ペンボディの先端に、前記携帯端末機のタッチスクリーンと接触して感応する感応タッチチップを有する、携帯端末機のタッチスクリーンタッチ用のタッチペンにおいて、前記ペンボディは、幅に比べて相対的に長い長さを有し、前記ペンボディは、その尾端に開閉形のカバーキャップを含んで構成され、その内部にジェンダーユニットを内蔵して収容するユニット収容空間を有し、前記ジェンダーユニットの第１コネクターは、ＵＳＢ（Universal Serial Bus）コネクターであり、前記ジェンダーユニットの第２コネクターは、マイクロＵＳＢコネクターまたはアップル社のアイフォン５用の８ピンライトニングコネクターであって、ケーブルにて前記第１コネクターと結線連結されることを特徴とする携帯端末機用タッチペンである。
【発明の効果】
【００１６】
本発明によれば、タッチペンにジェンダーユニットを一体で収納して保管するように構成するので、タッチペンとジェンダーユニットを別に携帯する不便と煩わしさを解消することができる。また、冬期に手袋をはめた状態でもタッチペンを使って携帯端末機のタッチスクリーンに容易に入力することができるようになる。従って、利用者の便宜性を増大させることができる。
【図面の簡単な説明】
【００１７】
【図１】本発明の技術が適用されたジェンダーユニットを有する携帯端末機用タッチペンを表した第１実施例の分解斜視図である。
【図２】本発明の技術が適用されたジェンダーユニットを有する携帯端末機用タッチペンを表した第１実施例の断面図である。
【図３】本発明の技術が適用されたジェンダーユニットを有する携帯端末機用タッチペンの他の結合構成を表した第１実施例の変形例の断面図である。
【図４】本発明の技術が適用されたジェンダーユニットを有する携帯端末機用タッチペンの他の結合構成を表した第１実施例の他の変形例の斜視図である。
【図５】本発明の技術が適用されたジェンダーユニットを有する携帯端末機用タッチペンの第１実施例のデザインの変形例の斜視図である。
【図６】第１実施例の変形例の斜視図である。
【図７】本発明の技術が適用されたジェンダーユニットを有する携帯端末機用タッチペンを表した第２実施例の斜視図である。
【図８】本発明の技術が適用されたジェンダーユニットを有する携帯端末機用タッチペンを表した第２実施例の分解斜視図である。
【図９】本発明の技術が適用されたジェンダーユニットを有する携帯端末機用タッチペンを表した第２実施例の断面図である。
【図１０】本発明の技術が適用されたジェンダーユニットを有する携帯端末機用タッチペンを表した第２実施例の変形例の斜視図である。
【図１１】本発明の技術が適用されたジェンダーユニットを有する携帯端末機用タッチペンを表した第２実施例の変形例の斜視図である。
【図１２】本発明の技術が適用されたジェンダーユニットを有する携帯端末機用タッチペンを表した第１実施例と第２実施例の変形例の斜視図である。
【図１３】本発明の技術が適用されたジェンダーユニットを有する携帯端末機用タッチペンを表した第２実施例の変形例の斜視図である。
【発明を実施するための形態】
【００１８】
以下、図面を参照しながら本発明の実施形態について説明する。
【００１９】
図１は、本発明の技術が適用されたジェンダーユニットを有する携帯端末機用タッチペンを表した第１実施例の分解斜視図である。図２は、第１実施例の断面図である。図３は、携帯端末機用タッチペンの他の結合構成を表した第１実施例の変形例の断面図である。図４は、携帯端末機用タッチペンの他の結合構成を表した第１実施例の他の変形例の斜視図である。図５は、第１実施例のデザインの変形例の斜視図である。図６は、第１実施例の変形例の斜視図である。
【００２０】
図７は、本発明の技術が適用されたジェンダーユニットを有する携帯端末機用タッチペンを表した第２実施例の斜視図である。図８は、第２実施例の分解斜視図である。図９は、図７に示す携帯端末機用タッチペンの断面図である。図１０は、第２実施例の変形例の斜視図である。図１１は、第２実施例の変形例の斜視図である。図１２は、第１実施例と第２実施例の変形例の斜視図である。図１３は、第２実施例の変形例の斜視図である。なお、第１実施例と２実施例で同じ部材は同一の部材番号を使って示してある。
【００２１】
［第１実施例］
図１ないし図６に表した本発明の技術が適用されたジェンダーユニットを有する携帯端末機用タッチペン（１００）の第１実施例を説明する。
【００２２】
様々な形態と種類の携帯端末機のタッチスクリーンを、タッチすることが容易するように、筆記具と同一あるいは類似した形状または後述する様々な形状体として、中空ボディーのペンボディー（１１０）を備え、前記ペンボディー（１１０）は、図２に示すように、リング形状のリブと挿入溝（１１０’−１５０’）の形成による挟み結合、またはねじ山結合（不図示）の構成によって、コネクターキャップ（１５０）と結合される。
【００２３】
更に、コネクターキャップ（１５０）の後方側には、リング形状のリブと挿入溝（１５０’−１１４’）の雌雄体として結合される、カバーキャップ（１１４）が提供されて、互いに挟み固定され、カバーキャップ（１１４）には携帯端末機（Ｍ）に連結するための紐（１１５）が連結される構成である。従って、ペンボディ（１１０）−コネクターキャップ（１５０）−カバーキャップ（１１４）が互いに挟み結合、または螺糸山結合によって、全体タッチペン（１００）のボディーを構成する。
【００２４】
前記ペンボディー（１１０）の端部には、携帯端末機（Ｍ）のタッチスクリーン（Ｓ）と接触して作動信号を認可するための手段として、公知の感応タッチチップ（１１２）を端部にチップの形状に設ける。
【００２５】
前記ペンボディー（１１０）の内部には、後述するジェンダーユニット（１３０）を収容するための中空の空間であるユニット収容空間（１１３）を形成し、この内部の空間に後述するジェンダーユニット（１３０）を受納するように構成する。
【００２６】
前記感応タッチチップ（１１２）は、携帯端末機のタッチスクリーンの種類につれて違うように具備することができる。この時、タッチスクリーンが感圧タイプの場合は、感圧式感応タッチチップを備え、導電性タッチスクリーンの場合は、導電性感応タッチチップを備えて選択的に着脱させることができる形態に構成する。
【００２７】
前記感応タッチチップ（１１２）は、アクリル、ポリエステル、ゴム、プラスチック、ポリマー系列などの様々な素材で構成することができ、導電性感応タッチチップの場合は、このような材質に導電性を付与することで構成することができる。
【００２８】
更に、感応タッチチップ（１１２）を保護するように、別途の感応タッチチップキャップ（不図示）を構成しても良い。
【００２９】
前記感応タッチチップ（１１２）が導電性感応タッチチップである場合、作動に必要な電気的な構成は、ペンボディー（１１０）の内部に構成されることは勿論であり、このような電気的な連結の技術構成は、当該技術分野で公知共用のものだから、具体的な説明は省略する。
【００３０】
前記ペンボディー（１１０）とカバーキャップ（１１４）の間に提供されるジェンダーユニット（１３０）は、図１及び図２のように、ペンボディー（１１０）の外方側（カバーキャップ（１１４）の方）には、他の外部接続器機、例えばデータ送信のためのパソコン、充電器のような機器に接続するためのＵＳＢポート用コネクターのような、第１コネクター（１３１）を構成する。そして、前記第１コネクター（１３１）はコネクターキャップ（１５０）と共に、例えばインサート射出成形により収容固定して構成する。
【００３１】
前記第１コネクター（１３１）に連結されて後方に延長されるケーブル（１３３）は、他のコネクター、例えばマイクロＵＳＢ（Universal Serial Bus）コネクター、アップル（apple）社のアイフォン５の８ピンライトニングコネクター等としての第２コネクター（１３２）を連結してジェンダーとして構成する。
【００３２】
勿論、前記ケーブル（１３３）はフレキシブルな状態の物が実質的な活用性の側面で優秀なので望ましい。
【００３３】
前記第１，２コネクター（１３１、１３２）は一般的に広く使われる７ピン型コネクター、１２ピン型コネクター、２０ピン型コネクター、２４ピン型コネクター、ＵＳＢまたはマイクロＵＳＢ、アップル社のアイフォン５の８ピンライトニングコネクターなどのような色々なコネクターたちの組み合わせから選択して構成できることは勿論である。更に、最近スマートフォンに標準的に適用されている標準ＵＳＢ−マイクロＵＳＢまたはｉＯＳ系列の標準ＵＳＢ−アップル社のアイフォン５の８ピンライトニングコネクターとして組み合わせることは望ましい実施例である。
【００３４】
更に、図面ではＵＳＢコネクターとしての第１コネクター（１３１）を表すことにおいて、通常的なＵＳＢコネクターの雌コネクター（Female connector）に挿入するために、雄コネクターの第１コネクター（１３１）に、挿入の時に安定的な固定のための金属ハウジング（ＵＳＢケース）が設置されたものが図示されるが、他の変形実施例として前記金属ハウジング（ＵＳＢケース）を取り除いたフラットなコネクターで設ければ、全体的なタッチペン（１００）の直径をもう小さくできて、ほとんど一般的なペンに近接した太さで製作することができる。
【００３５】
前記第１，２コネクター（１３１、１３２）のいずれかには、色々な種類のメモリーカード（１３５）を利用できるように、図１２で表したように、コネクターキャップ（１５０）、または第１コネクター（１３１）でコネクターキャップ（１５０）の外周面に、メモリーカード（１３５）を収納することができるカードスロット（１３６）を更に形成して構成するので、ポータブルディスクを使うことができる。勿論、このような場合の電気的な結線は通常的な構成だから詳しく説明しない。
【００３６】
このような機能として、従来では別に携帯したＵＳＢメモリーを取り替えてＵＳＢメモリー代用で使うことができる便宜性も有するようになって、一つの携帯品として、ジェンダー、タッチペン、ポータブルストレージデバイスの３種の兼用性を有する有用性がある。
【００３７】
前記カードスロット（１３６）は、第１，２コネクター（１３１、１３２）の側方または前方などのように携帯端末機と外部器機との接続に差し支えを与えない位置なら、どこでも関係ない。
【００３８】
前記でペンボディ（１１０）−コネクターキャップ（１５０）−カバーキャップ（１１４）を結合構成することにおいて、図２のように、リング形状のリブと挿入溝（１１０’−１５０’、１５０’−１１４’）でするとか、図示しない螺糸山結合方式で選択的な組合で構成することができる。
【００３９】
しかし、もっと望ましいことは、図３に表したように、ペンボディ（１１０）−コネクターキャップ（１５０）の結合は、螺糸山結合（１１０”−１５０”）とし、コネクターキャップ（１５０）−カバーキャップ（１１４）の結合は、前記リブと挿入溝（１５０’−１１４’）とすることが望ましい。
【００４０】
その理由はタッチペンとしての使用は、頻繁で直ちに成り立たなければならないので、カバーキャップ（１１４）からペンボディ（１１０）−コネクターキャップ（１５０）の結合体を直ちに分離することができる挟み結合の方式が望ましく、ジェンダーユニット（１３０）として使用する時は、頻繁ではなく即刻的な対応を要求しないので、螺糸山結合とすることが、意図しなくカバーキャップ（１１４）からジェンダーユニット（１３０）が脱落して紛失することを防止することができる。
【００４１】
更に、スタイラスペンとしての使用の時、使用者がカバーキャップ（１１４）からペンボディ（１１０）−コネクターキャップ（１５０）を引くので、ペンボディ（１１０）−コネクターキャップ（１５０）が共にカバーキャップ（１４０）から容易に離脱されてすぐ入力モードで使うことができる。
【００４２】
また、他の一つの変形例としては、図４に表したように、ペンボディ（１１０）−コネクターキャップ（１５０）−カバーキャップ（１１４）の組合において、コネクターキャップ（１５０）−カバーキャップ（１１４）の間に保護キャップ（１６０）を付加的なキャップまたはカバーキャップ（１１４）の内に収容されるインナーキャップ（Inner cap）で提供するのである。
【００４３】
この場合、保護キャップ（１６０）はコネクターキャップ（１５０）と螺糸山で結合し、カバーキャップ（１１４）とは挟み結合の方式のリブ（１６０’）を有し、前記リブ（１６０’）がカバーキャップ（１１４）の挿入溝（１１４’）に挟んで固定するので前記の効果がある。
【００４４】
もし、インナーキャップで構成する場合は、保護キャップ（１６０）のコネクター収容上端部（１６１）が、カバーキャップ（１１４）の内方に収容される二重のキャップの構成を有するようになる。このような保護キャップ（１６０）を提供することは、ＵＳＢコネクターなどの第１コネクター（１３１）の露出の挿入部に異物の流入防止と、使用者が機械的な部品の突出によって感じる抵抗感の解消と審美的な美感のためだが、必ず必要なことではないことは勿論で、望ましくは、半透明の材質で成形したキャップと構成して、内部に付加的な部品があることを使用者が認知するようにすることが望ましい。
【００４５】
前記構成による本発明のジェンダーユニットを有する携帯端末機用タッチペンの使用を説明する。
【００４６】
携帯端末機（Ｍ）に紐（１１５）で連結されて携帯したタッチペン（１００）を使おうとする場合は、ペンボディ（１１０）−コネクターキャップ（１５０）の結合体をカバーキャップ（１１４）から離脱させて、携帯端末機（Ｍ）のタッチスクリーン（Ｓ）上で入力を行い、使用後にはまたカバーキャップ（１１４）に挟んで固定すれば携帯モードとなる。
【００４７】
もし、ジェンダーとして使ったり、ポータブルストレージデバイスとして使ったりする場合は、ペンボディ（１１０）−コネクターキャップ（１５０）の結合体を分離してジェンダーユニット（１３０）を有するコネクターキャップ（１５０）のみを把持してパソコン、充電器などに連結してジェンダーとして用い、使用以後にはまた結合して固定することができることになる。
【００４８】
本発明のジェンダーユニットを有する携帯端末機用タッチペンは、図１、２に表すように、単純なペンの形状だけでなく、消費者の好みに合うように様々なデザイン、例えば、ファンシー（Fancy）商品としても開発することができる。
【００４９】
例えば、図５の例示的なデザインのように、ペンボディー（１１０）は鉛筆の形状のボディーと、コネクターキャップ（１５０）は消しゴムを把持するリング体と、カバーキャップ（１１４）は消しゴムで形成して、若い階層がよりごのみし、その上に、デジタル機器にアナログ的な鉛筆形状のデザインを付与することができて、飾りのアクセサリーとしての機能も有することができる。
【００５０】
これは長さが長い多様な形状の棒状の形状体をコンセプトとする多様なデザイン（たとえば、色鉛筆、注射器など）を適用することができることは勿論である。
【００５１】
本発明のジェンダーユニットを有する携帯端末機用タッチペンは、携帯性の増大、紛失防止等のために他の付加的な構成を具備することができ、図６の上部図のように、フラット（Flat）な形態とした携帯端末機（Ｍ）のように携帯が容易な形状、図６の中部図下部図のようにクリップ（１１６）を取り付けてポケットなどにつけ得る様々な構成として変形が可能だけではなく、これたちはみんな携帯性及び審美的な観点で非常に大切である。
【００５２】
[第２実施例]
図７以下には第２実施例及びその変形例たちが図示される。
【００５３】
図７では、様々な形態と種類の携帯端末機のタッチスクリーンを、タッチすることが容易するように、筆記具と同一あるいは類似した形状または後述する様々な形状体として、中空ボディーのペンボディー（１１０）を備え、前記ペンボディー（１１０）の内部に収納及び引き出しが自由なジェンダーユニット（１３０）を備えて携帯端末機の情報を外部器機に、あるいは、外部器機の情報を携帯端末機に伝えるインターフェイシングと携帯端末機の充電を容易に行うことができることを特徴とする。
【００５４】
前記ペンボディー（１１０）は、幅に比べて相対的に長い長さを有するペンボディー（１１０）を備え、前記ペンボディー（１１０）の下端には、携帯端末機のタッチスクリーンと接触するために公知の感応タッチチップ（１１２）を設けて構成する。
【００５５】
前記ペンボディー（１１０）の内部には、ジェンダーユニット（１３０）を収容するためのユニット収容空間（１１３）を形成し、ペンボディー（１１０）の上端にはジェンダーユニット（１３０）の露出を防止して紛失の心配を排除するように着脱の可能なカバーキャップ（１１４）を結合するようにする。
【００５６】
前記ペンボディー（１１０）とカバーキャップ（１１４）には、カバーキャップ（１１４）が易しく離脱されないように、第１実施例のように雌雄体の挟み結合体または螺糸山結合体などの離脱防止手段を講じることは勿論で、カバーキャップ（１１４）には携帯端末機と連結するための通常的な紐（１１５）を更に備える。
【００５７】
本発明の第２実施例で前記ペンボディー（１１０）は、通常的な筆記具のような円筒形状で構成しているが、図１１の例のように断面をフラット（Flat）の形状で構成して体積感を最小化しながら概観デザインが優秀にできるなど多様な形状で構成することができる。
【００５８】
前記カバーキャップ（１１４）に紐（１１５）を備えて携帯端末機と連結して使うように構成しているが、図１０の変形例のようにカバーキャップ（１１４）にクリップ（１１６）を備えて携帯端末機と分離して利用者のポケットに結合して携帯するように構成しても良い。
【００５９】
本実施例の構成も図１２の下部図面のように、前記第１，２コネクター（１３１、１３２）から、いずれかには、色々な種類のメモリーカード（１３５）を利用するように、カードスロット（１３６）を形成して構成する。
【００６０】
やっぱり、カードスロット（１３６）は第１，２コネクター（１３１、１３２）の側方または前方などのように、携帯端末機と外部器機との接続に差し支えを与えない位置ならどこでも関係ない。
【００６１】
また他の本発明の変形例としては、図１３のように、タッチペンで使うために、ペンボディー（１１０）を、紐（１１５）を通じて携帯端末機と繋がれたカバーキャップ（１１４）から分離させた時、ペンボディー（１１０）の内部に内蔵されるジェンダーユニット（１３０）が離脱される心配を排除するための栓（Cap）として使うと同時に視覚的に露出されないように、隔壁（１４０’）を有する補助キャップ（１４０）をもっと備えて構成しても良い。
【００６２】
前記のような本発明の技術が適用されたジェンダーユニットを有する携帯端末機用タッチペン（１００）の使用状態を見れば次のようである。
【００６３】
ジェンダーユニットを有する携帯端末機用タッチペン（１００）は、紐（１１５）を利用して携帯端末機と連結してアクセサリー形態で携帯端末機と共に携帯して通うとか、携帯端末機と分離した状態でカバーキャップ（１１４）に設けられるクリップ（１１６）を利用して利用者のポケットに携帯端末機用タッチペン（１００）を収納して用いればよい。
【００６４】
このような収納状態でペンボディー（１１０）を紐（１１５）を通じて携帯端末機と繋がれたカバーキャップ（１１４）から分離するとか、またはクリップ（１１６）をポケットから離脱させた後、通常的に筆記具を取る形態でペンボディー（１１０）を取った後、ペンボディー（１１０）の下端に具備される感応タッチチップ（１１２）が携帯端末機のタッチスクリーンとタッチして入力を行うことになる。
【００６５】
勿論、タッチスクリーンの形態によって感応タッチチップ（１１２）を感圧式感応タッチチップあるいは導電性感応タッチチップで取り替えてタッチスクリーンをタッチするので、携帯端末機を操作または作動させることができるのである。
【００６６】
前記のようにペンボディー（１１０）を利用してタッチスクリーンをタッチして携帯端末機を操作する場合には、冬期のような寒い季節または所与によって手袋などを手にはめた状態で、作業を行うべき状況で、容易に携帯端末機を操作または作動させることができる長所を有することになる。
【００６７】
そして、ジェンダーユニット（１３０）を利用して携帯端末機を充電するとか、携帯端末機から外部器機あるいは外部器機から携帯端末機へのインターフェイシングを行おうとする場合には、ペンボディー（１１０）の上端に結合されたカバーキャップ（１１４）または補助キャップ（１４０）を分離してユニット収容空間（１１３）から、露出されたジェンダーユニット（１３０）を取って引くことでペンボディー（１１０）のユニット収容空間（１１３）に収容されたジェンダーユニット（１３０）が離脱される。
【００６８】
このように離脱されたジェンダーユニット（１３０）の第１，２コネクター（１３１、１３２）を携帯端末機または外部器機のコネクター溝と結合させるので使用が可能になり、必要につれてメモリーカード（１３５）の使用が必要な場合は、第１，２コネクター（１３１、１３２）に設けられるカードスロット（１３６）を通じて挿入してポータブルストレージデバイスとして活用することができることになる。
【符号の説明】
【００６９】
１００…携帯端末機用タッチペン、１１０…ペンボディ、１１２…感応タッチチップ、１１３…ユニット収容空間、１１４…カバーキャップ、１１５…紐、１１６…クリップ、１３０…ジェンダーユニット、１３１…第１コネクター、１３２…第２コネクター、１３３…ケーブル、１３５…メモリーカード、１３６…カードスロット
【図１】
2014137777.tif 000003
【図４】
2014137777.tif 000004
【図５】
2014137777.tif 000005
【図６】
2014137777.tif 000006
【図７】
2014137777.tif 000007
【図８】
2014137777.tif 000008
【図１０】
2014137777.tif 000009
【図１１】
2014137777.tif 000010
【図１２】
2014137777.tif 000011
【図２】
2014137777.tif 000012
【図３】
2014137777.tif 000013
【図９】
2014137777.tif 000014
【図１３】
2014137777.tif 000015